(57)【要約】      （修正有）【課題】地震などからの全角度からの水平力や、突き上げによる浮き上がり力、台風や竜巻による引き抜き力、水害水流による基礎底部洗い攫い力、軟弱地盤の不同沈下現象、積載する鉛直荷重等に優れた抗力を持つ建築物穿孔基礎を提供する。【解決手段】敷地内の深く硬い地盤までに穿孔した穴の底に基礎底部を定め、そこまで鉄製の柱杭２を差込み、それの地盤と接する外周空間部にコンクリート５を詰め接続地盤と一体化し、柱杭２上部はその上部に積載する上部建築物主建築部材６とを剛に接合３できるようにし、上部建築物に作用する、地震などからの全角度からの水平力や、突き上げによる浮き上がり力、台風や竜巻による引き抜き力、水害水流による基礎底部洗い攫い力、軟弱地盤の不同沈下現象や積載する鉛直荷重等に確実な抗力を持てるようにし、複数の建築物穿孔基礎１は建築物穿孔基礎１各相互間に鉄筋コンクリート製４の連結用材を設け建築物穿孔基礎１及び上部に積載される建築物共共複合的に強固なものとする。【選択図】図１
0003207811.tif 000002
【実用新案登録請求の範囲】
【請求項１】
敷地内の深く硬い地盤までに穿孔した穴に基礎底部を定めそこに、鉄製柱杭（２）、建築物穿孔基礎連結用材（４）、コンクリート詰め（５）、と敷地地盤（７）とを、全一体に構成築造し建築物穿孔基礎上部に積載する建築物の主建築部材（６）と剛に接合（３）できるようにしたことを
特徴とする建築物穿孔基礎
【考案の詳細な説明】
【技術分野】
【０００１】本考案は建築物穿孔基礎に関するものであり、更に詳しくは、鉛直荷重や転倒抗力や横滑りや浮き上がり抗力に優れた、鉛直荷重や転倒抗力や横滑りや浮き上がり抗力用建築物穿孔基礎に関するものである。
【背景技術】
【０００２】従来よりの建築物基礎は、基礎と土台の間にゴムクッシヨンを設けるなどして、地震などによる上部に積載する建築物などよりの水平力などからの抗力としていた、又従来よりの建築物基礎は、単独又は連続して掘った広く深い支持地盤の上に広い基盤を置いて、自重及びその上部に積載する建築物などよりの鉛直荷重対応を主としたものであった、又引き抜きや浮き上がり力への対抗力は専ら自重などの固定荷重に依存していた。【０００３】又前記建築物基礎は鉛直荷重対応を主としたものであり、水平荷重や横滑りや浮き上がり引き抜き等への対応が殆どなされていなかった。
【先行技術文献】
【特許文献】
【０００４】
【特許文献１】  特開２００７−６３９７４号広報
【考案の概要】
【考案が解決しようとする課題】
【０００５】従来よりの建築物基礎は、基礎と土台の間にゴムクッシヨンを設けるなどして、地震などによる上部に積載する建築物などよりの水平力などからの抗力としていた、又この従来例の建築物基礎は上部建築物を上に積載し繋ぐことを主とした鉛直荷重対応を主としたものであり、大地の固い地盤に固定され一体となっていないため、上部建築物が積載されそれより伝達される水平力や横滑りや浮き上がり力への対抗力が極めて弱い欠点を有する。【０００６】この従来例の  建築物基礎はその上部建築物の鉛直荷重を支えるため必要な支持力を得るため、全面的に必要な地耐力の存在位置まで深く広く掘る必要があり、又上部建築物の転倒や横滑りや浮き上り防止用の控え壁など必要とされることもあり、その為余分の土地空間と、深い地盤掘削を必要とし、また転倒や浮き上がり引き抜きなどへの安全性に欠ける欠点を有する。
【課題を解決するための手段】
【０００７】前記従来例の課題を解決するための本考案の要旨は本願の建築物穿孔基礎築造の所要の位置に、地盤穿孔機などで所要の大きさ、深さまでに穿孔した必要最小限の穴に、角型鋼管やＨ型鋼などの鉄製等の柱杭を差込み、その外周の土に接する空間部分などにコンクリートを詰めて固め周囲の堅固な大地に固定し大地と一体化し、柱杭の上部は上部に積載する上部建築物の主建築部材と剛に結合出来るようにする。【０００８】また、前記、本願の複数の建築物基礎は各建築物穿孔基礎相互間を鉄筋コンクリートなどの連結用材で堅固に連結しこれらと地盤と複合的に全一体化とする。
【考案の効果】
【０００９】本考案に係る、建築物穿孔基礎によれば、上部建築物の主建築材直下部に建築物穿孔基礎を設置し地震等によって建築物基礎直上部の建築物との接点に水平力が作用して起こる最大水平荷重を建築物穿孔基礎の柱杭と上部建築物の主建築部材とを剛に結合することにより、建築物穿孔基礎上部建築物の転倒や横滑り浮き上がりなどによる倒壊を防止し上部建築物の固定力を高め安定させ無数の建築物の安全が確保できる。【００１０】また本考案に係る、建築物穿孔基礎によれば、建築物穿孔基礎に積載される上部建築物を支える対応力を地盤に必要最小限の深さ、規模、間隔等に穿孔した穴に、所要の柱杭を差込みその周囲のそれの土に接する外周にコンクリートを詰めて固め、堅固な地盤と一体化し、それにより上部建築物を支えるものであるから基礎の敷地地盤内に占める面積を最小限にすることが出来る大きな効果を奏する、また材料や工賃も少なく出来工事費も安価とすることができる。【００１１】また本考案は敷地内の深く硬い地盤までに穿孔した穴に建築物穿孔基礎の底部を置き、柱杭を差し込みそれの外周の地盤と接する空間部にコンクリートを詰めて固め接続地盤と一体化しているので、建築物穿孔基礎に積載される建築物等からの鉛直荷重に確実に対抗し、又台風や竜巻などによる引き抜き力への対抗力強く基礎の不同沈下を防ぎ、敷地の泥状化に対応でき、また水害水流による基礎底部が洗い浚われることを防ぎ、敷地に伝わってくる振動を防ぐことができる。
【図面の簡単な説明】
【００１２】
【図１】  本考案に係る複数の建築物穿孔基礎の垂直断面図である。
【図２】  本考案に係る複数の建築物穿孔基礎の水平断面図である。
【考案を実施するための形態】
【００１３】次に本発明の実施の形態について図面を参照しながら説明する。まず図（１）（２）に於いて符号（１）は建築物穿孔基礎を示し、この建築物穿孔基礎用の鉄製の柱杭（２）を地盤穿孔機で所要の大きさと位置まで穿孔した穴に柱杭（２）を挿入した後、柱杭（２）の外面部と穿孔した穴と接する地盤との空間部をコンクリート（５）で詰めて固め建築物穿孔基礎の支持基盤（７）と結合させ建築物穿孔基礎と一体化させる、又建築物穿孔基礎と上部に積載される建築物主建築部材（６）とを剛に接合（３）できるようにする。
【００１４】建築物穿孔基礎が複数となるときは各建築物穿孔基礎相互間を連結するため鉄筋コンクリート（４）で連結し、上部建築部を支えるこの建築物穿孔基礎どうしを一体化し、複合的に強化すると共に、この建築物穿孔基礎の上部に積載される上部建築物の主建築部材（６）とを剛に接合（３）できるようにされた上部建築物も複合的に強固なものとすることができる。
【符号の説明】
【００１５】１    本発明の実施形態を示す建築物穿孔基礎
２    同鉄製柱杭
３    同建築物穿孔基礎と上部建築物主建築部材との剛接部
４    同建築物穿孔基礎連結用鉄筋コンクリート
５    同コンクリート
６    同上部建築物の主建築部材
７    同穿孔穴に挿入した柱杭外周に詰めたコンクリートと敷地地中地盤との結合部
８    同敷地地盤面
【図１】
0003207811.tif 000003
【図２】
0003207811.tif 000004
【手続補正書】
【提出日】平成28年9月6日(2016.9.6)
【手続補正１】
【補正対象書類名】実用新案登録請求の範囲
【補正対象項目名】全文
【補正方法】変更
【補正の内容】
【実用新案登録請求の範囲】
【請求項１】
建築物建設敷地内の蜜実な地盤（７）の建築物の当該縦の主要建築部材（６）の真下に、敷地地盤面（８）下に柱杭（２）が地盤（７）とが一体化して所定の効力が出る深さまで穿孔機で穴をあけ、柱杭（２）は鉄製の構造用角形管で、柱杭（２）の敷地地盤面（８）よりの地中部分の長さは前記地中に穿孔した穴底までの長さで、敷地地盤面（８）上は建築物の当該縦の主要建築部材（６）脚部が柱杭（２）上部に差込み剛接（３）できる長さとし、地上の建築物の当該縦の主要建築部材（６）の脚部が充分差込みできる断面形状とし、この柱杭（２）の地中部分を地盤（７）に穿孔した穴底まで挿入する、柱杭（２）上部の建築物の当該縦の主要建築部材（６）差込み部分以外の、柱杭（２）下部中空部は構造用のコンクリート（５）を充填して固める、柱杭（２）の地上部分に建築物の当該縦の主要建築部材（６）の脚部を差込ませた後その脚部と、柱杭（２）の差込まれ部分の両接面を構造用接着剤で接着し、この差込部分の両断面を真横からボルトで貫通させた後ナットで締め付け、所要の強度に剛接（３）する、建築物の当該縦の主要建築部材（６）と柱杭（２）の位置確定後、地盤（７）を穿孔して差込んだ鉄製の構造用角形管の柱杭（２）の全外周と、それに接する地盤（７）との全接面は構造用コンクリート（５）を充填し地盤（７）と柱杭（２）と一体化させる、柱杭（２）がＨ型鋼で建築物の当該縦の主要建築部材（６）もＨ型鋼の場合は建築物の当該縦の主要建築部材（６）柱脚部と柱杭（２）の上部先端で鉄鋼板とボルトとナットで剛接（３）し、柱杭（２）がＨ型鋼で建築物の当該縦の主要建築部材（６）が角材の場合は柱杭（２）上部先端で建築物の当該縦の主要建築部材（６）の柱脚部が差込みが出来る所定の長さと断面形状の鉄製の構造用角形管を溶接した後この柱杭（２）の差し込まれ部分と建築物の当該縦の主要建築部材（６）柱脚部の差込み部分とを構造用接着剤と鉄製の構造用ボルトとナットで剛接（３）する、建築物の当該縦の主要建築部材（６）と柱杭（２）の位置確定後、地盤（７）を穿孔して差込んだＨ型鋼の柱杭（２）の全外周と、それに接する地盤（７）との全接面は、構造用のコンクリート（５）を充填し地盤（７）と柱杭（２）を一体化させる、柱杭（２）一本自体が地盤（７）と一体化して上下荷重、水平３６０度荷重への耐力を持ち、複数の柱杭（２）はそれぞれ相隣する柱杭（２）の上部間を建築物穿孔基礎連結用鉄筋コンクリート（４）梁で連結し、関係全柱杭（２）が地盤（７）と一体化した架構体として、建築物の全ての縦の主要建築部材（６）より受ける上下荷重、水平３６０度荷重、に全体的に対応できるよう構成されたことを特徴とする建築物穿孔基礎（１）。